(57)【要約】      （修正有）【課題】複数のヘッドチップ群を有していても境界ノズルによる濃度ムラが重畳することを防止し、なおかつローラ痕の重なりも防止する印刷装置を提供する。【解決手段】第１のインクに対応するヘッドチップ１１ｋとヘッドチップ１２ｋが千鳥状に配置され、第２のインクに対応するヘッドチップ１１ｙとヘッドチップ１２ｙが千鳥状に配置され、ヘッドチップ１２ｋの用紙幅方向の一方側に並び、且つ、ヘッドチップ１１ｋと搬送方向に並んでローラ３３ｋが配置され、ヘッドチップ１２ｙの用紙幅方向の一方側に並び、且つ、ヘッドチップ１１ｋの搬送方向に並んでローラ３３ｙが配置された印刷装置において、印刷に使用するノズルのうち、最も一方側にあるノズル２２Ｌｋの用紙幅方向の位置が、印刷に使用するノズルのうち、最も一方側にあるノズル２２Ｌｙよりも一方側にあり、ローラ３３ｋの用紙幅方向の位置が、ローラ３３ｙよりも他方側にある。【選択図】図７
2017177625.tif 000002
【特許請求の範囲】
【請求項１】
被記録媒体が搬送される第１方向と交差する第２方向に沿って間欠的に配置され、第１のインクに対応する複数の第１ヘッドチップと、
前記第２方向に沿って間欠的に配置され、前記第１のインクに対応する複数の第２ヘッドチップであって、それぞれが前記第１ヘッドチップの前記第２方向における位置とは異なる位置に配置され、前記第１方向において前記複数の第１ヘッドチップが配置された位置と隣接する位置に配置された前記複数の第２ヘッドチップと、
前記第２方向に沿って間欠的に配置され、第２のインクに対応する複数の第３ヘッドチップであって、前記第２方向において前記複数の第１ヘッドチップの配置位置とそれぞれ対応する位置に配置された前記複数の第３ヘッドチップと、
前記第２方向に沿って間欠的に配置され、前記第２のインクに対応する複数の第４ヘッドチップであって、前記第２方向において前記複数の第２ヘッドチップの配置位置とそれぞれ対応する位置に配置され、前記第１方向において前記複数の第３ヘッドチップが配置された位置と隣接する位置に配置された前記複数の第４ヘッドチップと、
前記複数の第２ヘッドチップのうち前記第２方向の一方側から数えてＮ番目の第２ヘッドチップである第２ヘッドチップＮの前記第２方向の一方側の位置であり、且つ、前記第１ヘッドチップと前記第１方向に並ぶ位置に配置された第１ローラと、
前記複数の第４ヘッドチップのうち前記第２方向の一方側から数えて前記Ｎ番目の第４ヘッドチップである第４ヘッドチップＮの前記一方側の位置であり、且つ、前記第３ヘッドチップと前記第１方向に並ぶ位置に配置された第２ローラと、を備え、
前記第２ヘッドチップＮに配置されたノズルのうち印刷に使用されるノズルの中で最も前記第２方向の前記一方側に配置されたノズルをノズルＡとし、前記第４ヘッドチップＮに配置されたノズルのうち印刷に使用されるノズルの中で最も前記第２方向の前記一方側に配置されたノズルをノズルＢとしたとき、
前記ノズルＡは、前記ノズルＢよりも前記第２方向の前記一方側に配置され、
前記第１ローラは、前記第２ローラよりも前記第２方向の他方側に配置されていることを特徴とする印刷装置。
【請求項２】
前記第２方向に沿って間欠的に配置され、第３のインクに対応する複数の第５ヘッドチップであって、前記第２方向における前記複数の第１ヘッドチップの配置位置とそれぞれ対応する位置に配置された前記複数の第５ヘッドチップと、
前記第２方向に沿って間欠的に配置され、前記第３のインクに対応する複数の第６ヘッドチップであって、前記第２方向における前記複数の第２ヘッドチップの配置位置とそれぞれ対応する位置に配置され、前記第１方向において前記複数の第５ヘッドチップが配列された位置と隣接する位置に配置された前記複数の第６ヘッドチップと、
前記複数の第５ヘッドチップのうち前記第２方向の一方側から数えて前記Ｎ番目の第５ヘッドチップである第５ヘッドチップＮの前記第２方向の他方側の位置であり、且つ、前記第６ヘッドチップと前記第１方向に並ぶ位置に配置された第３ローラと、を備え、
前記第５ヘッドチップＮから前記第３ローラまでの前記第２方向の距離は、前記第４ヘッドチップＮから前記第２ローラまでの前記第２方向の距離よりも小さいことを特徴とする請求項１に記載の印刷装置。
【請求項３】
前記第２ヘッドチップＮから前記第１ローラまでの前記第２方向の距離と、前記第５ヘッドチップＮから前記第３ローラまでの前記第２方向の距離とが等しいことを特徴とする請求項２に記載の印刷装置。
【請求項４】
前記第５ヘッドチップＮから前記第３ローラまでの前記第２方向の距離は、前記第２ヘッドチップＮから前記第１ローラまでの前記第２方向の距離よりも大きいことを特徴とする請求項２に記載の印刷装置。
【請求項５】
前記複数の第１ヘッドチップのうち最も前記第２方向の他方側に配置される第１ヘッドチップである第１ヘッドチップＥよりも前記第２方向の他方側の位置であり、且つ、前記第２ヘッドチップと第１方向に並ぶ位置に配置された第１補助ローラと、
前記複数の第３ヘッドチップのうち最も前記第２方向の他方側に配置される第３ヘッドチップである第３ヘッドチップＥよりも前記第２方向の他方側の位置であり、且つ、前記第４ヘッドチップと第１方向に並ぶ位置に配置された第２補助ローラと、
前記複数の第６ヘッドチップのうち最も前記第２方向の一方側に配置される第６ヘッドチップである第６ヘッドチップＥよりも前記第２方向の一方側の位置であり、且つ、前記第５ヘッドチップと第１方向に並ぶ位置に配置された第３補助ローラと、を備え、
前記第２ヘッドチップＮから前記第１ローラまでの前記第２方向の距離は、前記第１ヘッドチップＥから前記第１補助ローラまでの前記第２方向の距離よりも小さく、
前記第４ヘッドチップＮから前記第２ローラまでの前記第２方向の距離は、前記第３ヘッドチップＥから前記第２補助ローラまでの前記第２方向の距離よりも小さく、
前記第５ヘッドチップＮから前記第３ローラまでの前記第２方向の距離は、前記第６ヘッドチップＥから前記第３補助ローラまでの前記第２方向の距離よりも小さいことを特徴とする請求項２に記載の印刷装置。
【請求項６】
前記第５ヘッドチップ及び前記第６ヘッドチップは、前記第１方向において、前記第１ヘッドチップ及び前記第２ヘッドチップと、前記第３ヘッドチップ及び前記第４ヘッドチップと、の間に配置され、前記第３補助ローラは、前記第１方向において、前記第１補助ローラと前記第２補助ローラとの間に配置されていることを特徴とする請求項５に記載の印刷装置。
【請求項７】
前記第１ローラのうち最も前記第２方向の一方側に配置される第１ローラよりも前記第２方向の一方側の位置であり、且つ、前記第１ヘッドチップと第１方向に並ぶ位置に配置された第４補助ローラと、
前記第２ローラのうち最も前記第２方向の一方側に配置される第２ローラよりも前記第２方向の一方側の位置であり、且つ、前記第３ヘッドチップと第１方向に並ぶ位置に配置された第５補助ローラとを備え、
前記第４補助ローラの前記第２方向の位置は、前記第５補助ローラの前記第２方向の位置と異なることを特徴とする請求項１に記載の印刷装置。
【請求項８】
前記第１のインクの色はブラックであり、前記第２のインクの色はマゼンタ、イエロー又はシアンのいずれかであることを特徴とする請求項１に記載の印刷装置。
【請求項９】
前記第１のインクの色はマゼンタであり、前記第２のインクの色はイエロー又はシアンであることを特徴とする請求項１に記載の印刷装置。
【請求項１０】
前記第１のインクの色はブラックであり、前記第２のインクの色はイエロー又はシアンであり、前記第３のインクの色はマゼンタであることを特徴とする請求項２に記載の印刷装置。
【請求項１１】
被記録媒体が搬送される第１方向と交差する第２方向に沿ってノズルが配列され、第１のインクに対応する第１ヘッドチップと、
前記第２方向に沿ってノズルが配列され、前記第１のインクに対応する第２ヘッドチップであって、前記第１ヘッドチップの前記第２方向における位置とは異なる位置に配置され、前記第１方向において前記第１ヘッドチップが配置された位置と隣接する位置に配置された第２ヘッドチップと、
前記第２方向に沿ってノズルが配列され、第２のインクに対応する第３ヘッドチップであって、前記第２方向において前記第１ヘッドチップの配置位置とそれぞれ対応する位置に配置された第３ヘッドチップと、
前記第２方向に沿ってノズルが配列され、前記第２のインクに対応する第４ヘッドチップであって、前記第２方向において前記第２ヘッドチップの配置位置とそれぞれ対応する位置に配置され、前記第１方向において前記第３ヘッドチップが配置された位置と隣接する位置に配置された第４ヘッドチップと、
前記第２ヘッドチップの前記第２方向の一方側の位置であり、且つ、前記第１ヘッドチップと前記第１方向に並ぶ位置に配置された第１ローラと、
前記第４ヘッドチップの前記第２方向の前記一方側の位置であり、且つ、前記第３ヘッドチップと前記第１方向に並ぶ位置に配置された第２ローラと、を備え、
前記第２ヘッドチップに配置されたノズルのうち印刷に使用されるノズルの中で最も前記第２方向の前記一方側に配置されたノズルをノズルＡとし、前記第４ヘッドチップに配置されたノズルのうち印刷に使用されるノズルの中で最も前記第２方向の前記一方側に配置されたノズルをノズルＢとしたとき、
前記ノズルＡは、前記ノズルＢよりも前記第２方向の前記一方側に配置され、
前記第１ローラは、前記第２ローラよりも前記第２方向の他方側に配置されていることを特徴とする印刷装置。
【請求項１２】
被記録媒体が搬送される第１方向と交差する第２方向に沿ってノズルが配置され、第１のインクに対応する第１ヘッドチップと、
前記第２方向に沿ってノズルが配置され、前記第１のインクに対応する第２ヘッドチップであって、前記第１ヘッドチップの前記第２方向における位置とは異なる位置に配置され、前記第１方向において前記第１ヘッドチップが配置された位置と隣接する位置に配置された第２ヘッドチップと、
前記第２方向に沿ってノズルが配置され、第２のインクに対応する第３ヘッドチップであって、前記第２方向において前記第１ヘッドチップの配置位置とそれぞれ対応する位置に配置された第３ヘッドチップと、
前記第２方向に沿ってノズルが配置され、前記第２のインクに対応する第４ヘッドチップであって、前記第２方向において前記第２ヘッドチップの配置位置とそれぞれ対応する位置に配置され、前記第１方向において前記第３ヘッドチップが配置された位置と隣接する位置に配置された第４ヘッドチップと、
前記第２ヘッドチップの前記第２方向の一方側の位置であり、且つ、前記第１ヘッドチップと前記第１方向に並ぶ位置に配置され、被記録媒体を押さえるための第１押さえ手段と、
前記第４ヘッドチップの前記一方側の位置であり、且つ、前記第３ヘッドチップと前記第１方向に並ぶ位置に配置され、被記録媒体を押さえるための第２押さえ手段と、を備え、
前記第２ヘッドチップに配置されたノズルのうち印刷に使用されるノズルの中で最も前記第２方向の前記一方側に配置されたノズルをノズルＡとし、前記第４ヘッドチップに配置されたノズルのうち印刷に使用されるノズルの中で最も前記第２方向の前記一方側に配置されたノズルをノズルＢとしたとき、
前記ノズルＡは、前記ノズルＢよりも前記第２方向の前記一方側に配置され、
前記第１押さえ手段は、前記第２押さえ手段よりも前記第２方向の他方側に配置されていることを特徴とする印刷装置。
【発明の詳細な説明】
【技術分野】
【０００１】
本発明は、印刷装置に関する。
【背景技術】
【０００２】
従来から、印刷装置として、被記録媒体の幅方向に並べられた複数のヘッドチップを有する、ライン型の吐出ヘッドが知られている。このようなヘッドでは、被記録媒体の幅方向に隣接する２つのヘッドチップが、被記録媒体の搬送方向においてずれて配置されている。さらに、上記２つのヘッドチップの間では、端部同士が搬送方向において並んでいる。
【０００３】
なお、上記の吐出ヘッドにおいて、隣接する２つのヘッドチップが搬送方向に並ぶ領域では、所定位置を境に２つのヘッドチップのノズルを使い分けることになる。その際に、２つのヘッドチップの間で吐出特性の違いがあると、２つのヘッドチップから吐出されたインクの着弾ズレが発生し、スジ状の濃度ムラが生じる原因となる。
【０００４】
そのような問題を解決する手段として、特許文献１において、２つのヘッドチップが搬送方向に並ぶ領域に、一方のヘッドチップのみからインクを吐出させる部分と、他方のヘッドチップのみからインクを吐出させる部分と、２つのヘッドチップの両方からインクを吐出させる部分が設定されている。尚、以下では、説明の便宜上、２つのヘッドチップが搬送方向に並ぶ領域において、２つのヘッドチップの使用境界位置にあるノズルを「境界ノズル」と呼ぶ。境界ノズルによって印刷される領域では、２つのヘッドチップのノズルからそれぞれ吐出されたインクが分散して着弾するため、異なるヘッドチップ間でのノズルの吐出特性の違い等に起因する濃度ムラを抑制できる。
【０００５】
また、特許文献２には４つのヘッドチップが千鳥状に配置された吐出ヘッドにおいて、印刷中に被記録媒体を押さえるためのローラがヘッドチップの間に設けられた構成が開示されている。即ち、隣接する２つのヘッドチップのうちの、一方のヘッドチップと被記録媒体の幅方向に並び、且つ、他方のヘッドチップと搬送方向に並ぶ位置にローラが配置されている。
【先行技術文献】
【特許文献】
【０００６】
【特許文献１】特開２０１５−１５０８２４号公報
【特許文献２】特開２０１５−１８９１８３号公報
【発明の概要】
【発明が解決しようとする課題】
【０００７】
特許文献１では、２つのヘッドチップが搬送方向に並ぶ一部分において、両方のヘッドチップからそれぞれインクを吐出させるようにしているものの、それでも、１つのヘッドチップのみで形成した画像部分と比べると、濃度ムラが残る。
【０００８】
そのため、搬送方向に上記の吐出ヘッドが複数並ぶプリンタに適用した場合に、複数の吐出ヘッド間でノズル配列方向における境界ノズルの位置が一致していると、印刷品質の悪化の要因となる。
【０００９】
また、濃度ムラが生じやすい境界ノズルに対して、さらにヘッドと被記録媒体との間のギャップの変動による画質低下が加わることを防ぐため、被記録媒体を押さえるローラを、ヘッドチップの端に極力近づけて配置することが好ましい。かといって、複数の吐出ヘッドについて、それぞれローラをヘッドチップの端に近づけて、複数の吐出ヘッドの間でローラのノズル配列方向の位置が一致していると、被記録媒体の同じ位置を複数のローラが次々に押さえることになり、ローラ痕が強く残るという問題がある。
【００１０】
従って、境界ノズルによって印刷される画像部分の濃度ムラを小さく抑えつつ、ローラの痕も目立たないように、２つの吐出ヘッドについて、ヘッドチップ間の境界ノズルとローラを最適に配置することが望まれる。
【００１１】
本発明の目的は、被記録媒体の搬送方向に複数のヘッドチップ群が並ぶ構成において、各ヘッドチップ群の境界ノズルによる濃度ムラが重畳することを防止し、なおかつローラ痕の重なりも防止することである。
【課題を解決するための手段】
【００１２】
第１の発明の印刷装置は、被記録媒体が搬送される第１方向と交差する第２方向に沿って間欠的に配置され、第１のインクに対応する複数の第１ヘッドチップと、前記第２方向に沿って間欠的に配置され、前記第１のインクに対応する複数の第２ヘッドチップであって、それぞれが前記第１ヘッドチップの前記第２方向における位置とは異なる位置に配置され、前記第１方向において前記複数の第１ヘッドチップが配置された位置と隣接する位置に配置された前記複数の第２ヘッドチップと、前記第２方向に沿って間欠的に配置され、第２のインクに対応する複数の第３ヘッドチップであって、前記第２方向において前記複数の第１ヘッドチップの配置位置とそれぞれ対応する位置に配置された前記複数の第３ヘッドチップと、前記第２方向に沿って間欠的に配置され、前記第２のインクに対応する複数の第４ヘッドチップであって、前記第２方向において前記複数の第２ヘッドチップの配置位置とそれぞれ対応する位置に配置され、前記第１方向において前記複数の第３ヘッドチップが配列された位置と隣接する位置に配置された前記複数の第４ヘッドチップと、前記複数の第２ヘッドチップのうち前記第２方向の一方側から数えてＮ番目の第２ヘッドチップである第２ヘッドチップＮの前記第２方向の一方側の位置であり、且つ、前記第１ヘッドチップと前記第１方向に並ぶ位置に配置された第１ローラと、前記複数の第４ヘッドチップのうち前記第２方向の一方側から数えて前記Ｎ番目の第４ヘッドチップである第４ヘッドチップＮの前記一方側の位置であり、且つ、前記第３ヘッドチップと前記第１方向に並ぶ位置に配置された第２ローラと、前記第２ヘッドチップＮに配置されたノズルのうち印刷に使用されるノズルの中で最も前記第２方向の前記一方側に配置されたノズルをノズルＡとし、前記第４ヘッドチップＮに配置されたノズルのうち印刷に使用されるノズルの中で最も前記第２方向の前記一方側に配置されたノズルをノズルＢとしたとき、前記ノズルＡは、前記ノズルＢよりも前記第２方向の前記一方側に配置され、前記第１ローラは、前記第２ローラよりも前記第２方向の他方側に配置されていることを特徴とするものである。
【００１３】
本発明では、第１インクに対応するヘッドチップ群（第１、第２ヘッドチップ）に対して設けられた第１ローラと、第２インクに対応するヘッドチップ群（第３、第４ヘッドチップ）に対して設けられた第２ローラの第２方向の位置が異なっている。これにより、被記録媒体に生じるローラの痕を目立たなくすることができる。
【００１４】
また、各ヘッドチップにおいて、印刷に使用される端のノズルでは、このヘッドチップと搬送方向に一部が並ぶ別のヘッドチップのノズルとの間の着弾位置ズレによる、濃度ムラが生じやすい。この点、本発明では、第２ヘッドチップＮにおいて印刷に使用されるノズルのうち、最も第２方向の一方側に配置されるノズルＡと、第４ヘッドチップＮにおいて印刷に使用されるノズルのうち、最も第２方向の一方側に配置されるノズルＢとについても、第２方向の位置が互いに異なっている。これにより、異なるヘッドチップ群の間で、上記の端位置のノズルによって生じる画像の濃度ムラが重なることによる、画品質の低下を抑制することができる。
【００１５】
第２ヘッドチップＮの端の印刷ノズルであるノズルＡは、第４ヘッドチップＮの端の印刷ノズルであるノズルＢよりもさらに端側に位置している。その上で、第２ヘッドチップＮに対応する第１ローラは、ノズルＡに近くに配置されている。つまり、第２ヘッドチップＮの端位置の使用ノズルであるノズルＡと、第１ローラとの距離が、第４ヘッドチップＮ端位置の使用ノズルであるノズルＢと、第２ローラとの距離よりも小さい。
【００１６】
元来、濃度ムラの発生要因となる境界ノズル群において、ヘッドチップと被記録媒体とのギャップが変動すると、濃度ムラがさらに目立つことになりかねない。そこで、境界ノズル群の近くに、被記録媒体を押さえるためのローラが配置されることが好ましい。但し、複数のヘッドチップ群の間で境界ノズル群の位置とローラの位置の両方を異ならせようとしたときに、さらに、ローラを境界ノズル群に近づけて配置することが難しい場合がある。そこで、本発明では、第１インクに対応する第１、第２ヘッドチップについては、第１ローラを境界ノズル群に近づけて配置し、第２インクに対応する第３、第４ヘッドチップについては、第２ローラを境界ノズル群から離れた位置に配置している。
【００１７】
第２の発明の印刷装置は、前記第１の発明において、前記第２方向に沿って間欠的に配置され、第３のインクに対応する複数の第５ヘッドチップであって、前記第２方向における前記複数の第１ヘッドチップの配置位置とそれぞれ対応する位置に配置された前記複数の第５ヘッドチップと、前記第２方向に沿って間欠的に配置され、前記第３のインクに対応する複数の第６ヘッドチップであって、前記第２方向における前記複数の第２ヘッドチップの配置位置とそれぞれ対応する位置に配置され、前記第１方向において前記複数の第５ヘッドチップが配列された位置と隣接する位置に配置された前記複数の第６ヘッドチップと、前記複数の第５ヘッドチップのうち前記第２方向の一方側から数えて前記Ｎ番目の第５ヘッドチップである第５ヘッドチップＮの前記第２方向の他方側の位置であり、且つ、前記第６ヘッドチップと前記第１方向に並ぶ位置に配置された第３ローラと、を備え、前記第５ヘッドチップＮから前記第３ローラまでの前記第２方向の距離は、前記第４ヘッドチップＮから前記第２ローラまでの前記第２方向の距離よりも小さいことを特徴とするものである。
【００１８】
第６ヘッドチップＮに対しては、第２ヘッドチップＮに対する第１ローラの配置側とは逆側、即ち、第２方向の他方側に第３ローラが配置される。この場合は、第１、第２ヘッドチップの端位置の使用ノズルに対して第１ローラを近い位置に配置したのと同様に、第５、第６ヘッドチップの端位置の使用ノズルに対して第３ローラを近い位置に配置することができる。つまり、ローラとヘッドチップの境界ノズル群との第２方向の距離が短いヘッドチップ群を２つ構成することができる。
【００１９】
前記第２の発明において、前記第２ヘッドチップＮから前記第１ローラまでの前記第２方向の距離と、前記第５ヘッドチップＮから前記第３ローラまでの前記第２方向の距離とが等しくてもよい（第３の発明）。あるいは、前記第２の発明において、前記第５ヘッドチップＮから前記第３ローラまでの前記第２方向の距離は、前記第２ヘッドチップＮから前記第１ローラまでの前記第２方向の距離よりも大きくてもよい（第４の発明）。
【００２０】
第５の発明の印刷装置は、前記第２の発明において、前記複数の第１ヘッドチップのうち最も前記第２方向の他方側に配置される第１ヘッドチップである第１ヘッドチップＥよりも前記第２方向の他方側の位置であり、且つ、前記第２ヘッドチップと第１方向に並ぶ位置に配置された第１補助ローラと、前記複数の第３ヘッドチップのうち最も前記第２方向の他方側に配置される第３ヘッドチップである第３ヘッドチップＥよりも前記第２方向の他方側の位置であり、且つ、前記第４ヘッドチップと第１方向に並ぶ位置に配置された第２補助ローラと、前記複数の第６ヘッドチップのうち最も前記第２方向の一方側に配置される第６ヘッドチップである第６ヘッドチップＥよりも前記第２方向の一方側の位置であり、且つ、前記第５ヘッドチップと第１方向に並ぶ位置に配置された第３補助ローラと、を備え、前記第２ヘッドチップＮから前記第１ローラまでの前記第２方向の距離は、前記第１ヘッドチップＥから前記第１補助ローラまでの前記第２方向の距離よりも小さく、前記第４ヘッドチップＮから前記第２ローラまでの前記第２方向の距離は、前記第３ヘッドチップＥから前記第２補助ローラまでの前記第２方向の距離よりも小さく、前記第５ヘッドチップＮから前記第３ローラまでの前記第２方向の距離は、前記第６ヘッドチップＥから前記第３補助ローラまでの前記第２方向の距離よりも小さいことを特徴とするものである。
【００２１】
上述したように、第１ローラ、第２ローラ、及び、第３ローラは、端位置の使用ノズル付近でのギャップ変動を抑制する目的から、対応するヘッドチップに対して近づけて配置されることが好ましい。一方、本発明では、上記ローラが対応するヘッドチップに対して配置される側とは反対側において、被記録媒体の第２方向の端部を押さえるための補助ローラが設けられる。
【００２２】
具体的には、第１、第２ヘッドチップでは、第２ヘッドチップＮに対して第２方向の一方側に第１ローラが配置される一方で、逆側の第２方向他方側の端に位置する第１ヘッドチップＥよりもさらに外側の位置に第１補助ローラが設けられ、被記録媒体の他方側端部を押さえる。同様に、第３、第４ヘッドチップでは前記他方側の端に位置する第３ヘッドチップＥよりも外側に第２補助ローラが設けられる。また、第５、第６ヘッドチップでは、第６ヘッドチップＮに対して前記他方側に第３ローラが配置されることから、その逆側の前記一方側の端に位置する第５ヘッドチップＥよりもさらに外側に、第３補助ローラが設けられる。
【００２３】
補助ローラについては、隣接するヘッドチップ（第１ヘッドチップＥ、第３ヘッドチップＥ、第５ヘッドチップＥ）に近いと、被記録媒体の端部から離れてしまい、端部をしっかりと押さえることができない。そこで、本発明では、ローラとヘッドチップＮの距離が、補助ローラとヘッドチップＥとの距離よりも小さくなっている。
【００２４】
第６の発明の印刷装置は、前記第５の発明において、前記第５ヘッドチップ及び前記第６ヘッドチップは、前記第１方向において、前記第１ヘッドチップ及び前記第２ヘッドチップと、前記第３ヘッドチップ及び前記第４ヘッドチップと、の間に配置され、前記第３補助ローラは、前記第１方向において、前記第１補助ローラと前記第２補助ローラとの間に配置されていることを特徴とするものである。
【００２５】
上述したように、第１補助ローラと第２補助ローラは、第２方向の前記他方側の端に配置される。一方、第３補助ローラは、第２方向の前記一方側の端に配置される。また、本発明では、第３補助ローラが、第１補助ローラと第２補助ローラとの間に配置される。つまり、第１方向に搬送される被記録媒体は、第１補助ローラ、第３補助ローラ、及び、第２補助ローラによって、第２方向の前記他方側、前記一方側、前記他方側のように交互に押さえられることになる。これにより、被記録媒体の第２方向両端部が確実に押さえられる。
【００２６】
第７の発明の印刷装置は、前記第１の発明において、前記第１ローラのうち最も前記第２方向の一方側に配置される第１ローラよりも前記第２方向の一方側の位置であり、且つ、前記第１ヘッドチップと第１方向に並ぶ位置に配置された第４補助ローラと、前記第２ローラのうち最も前記第２方向の一方側に配置される第２ローラよりも前記第２方向の一方側の位置であり、且つ、前記第３ヘッドチップと第１方向に並ぶ位置に配置された第５補助ローラとを備え、前記第４補助ローラの前記第２方向の位置は、前記第５補助ローラの前記第２方向の位置と異なることを特徴とするものである。
【００２７】
先の第５、第６の発明では、ヘッドチップＮに対してローラが配置される側と反対側の端に配置される補助ローラについて規定した。これに対して、本発明では、ヘッドチップＮに対してローラが配置される側の端に配置される補助ローラの位置を規定する。
【００２８】
即ち、第１、第２ヘッドチップについては、前記一方側の端に位置する第１ローラよりも、さらに前記一方側（外側）に離れた位置に、第４補助ローラが設けられている。また、第３、第４ヘッドチップについても、前記一方側の端に位置する第２ローラよりも、さらに、前記一方側（外側）に離れた位置に、第５補助ローラが設けられている。つまり、第４補助ローラと第５補助ローラは、被記録媒体の前記一方側の端部を押さえるためのものである。その上で、本発明では、第４補助ローラと第５補助ローラは第２方向の位置が異なるため、ローラ痕は目立たない。
【００２９】
第８の発明の印刷装置は、前記第１の発明において、前記第１のインクの色はブラックであり、前記第２のインクの色はマゼンタ、イエロー又はシアンのいずれかであることを特徴とするものである。
【００３０】
ブラックのインクによる濃度ムラが最も目立ちやすいため、ローラとヘッドチップとの距離が最も近い第１ヘッドチップ及び第２ヘッドチップに対応する第１のインクの色をブラックとし、ヘッドチップと被記録媒体とのギャップの変動を抑制して濃度ムラを抑える。
【００３１】
第９の発明の印刷装置は、前記第１の発明において、前記第１のインクの色はマゼンタであり、前記第２のインクの色はイエロー又はシアンであることを特徴とするものである。
【００３２】
ブラックのインクを使わない場合、マゼンタのインクによる濃度ムラが最も目立ちやすいため、第１のインクの色をマゼンタとし、ヘッドチップと被記録媒体とのギャップの変動を抑制する。
【００３３】
第１０の発明の印刷装置は、前記第２の発明において、前記第１のインクの色はブラックであり、前記第２のインクの色はイエロー又はシアンであり、前記第３のインクの色はマゼンタであることを特徴とするものである。
【００３４】
濃度ムラが目立ちやすいインクの色順に、ローラとヘッドチップとの距離を近づけ、ヘッドチップと被記録媒体とのギャップの変動を抑制する。
【００３５】
なお、第１の発明においては、各ヘッドチップは複数配置されているが、各ヘッドチップが単数であっても良い（第１１の発明）。また、各ローラは、被記録媒体を押さえるための押さえ手段であっても良い（第１２の発明）。
【図面の簡単な説明】
【００３６】
【図１】本実施形態に係るプリンタの概略的な平面図である。
【図２】４つのインクジェットヘッドの平面図である。
【図３】１つのインクジェットヘッド及びローラユニットの平面図である。
【図４】１つのインクジェットヘッドの２つのヘッドチップの拡大図である。
【図５】２つのヘッドチップ間のノズル使用比率を示すグラフである。
【図６】図３のVI‐VI断面図である。
【図７】図２の拡大図である。
【図８】４つのインクジェットヘッドを並べ替えた場合の平面図である。
【図９】変更形態の、２つのインクジェットヘッド及びローラユニットの概略的な平面図である。
【図１０】変更形態の、４つのインクジェットヘッドの平面図の拡大図である。
【発明を実施するための形態】
【００３７】
次に、本発明の実施の形態について説明する。尚、図１において記録用紙１００が搬送される搬送方向を、プリンタ１の前後方向と定義する。また、記録用紙１００の用紙幅方向をプリンタ１の左右方向と定義する。さらに、前後方向及び左右方向と直交する、図１の紙面垂直方向をプリンタ１の上下方向と定義する。
【００３８】
＜プリンタの概略構成＞
図１に示すように、プリンタ１は、筐体２内に収容されたプラテン３、４つのインクジェットヘッド４、２つの搬送ローラ５，６、制御部７、及び、ローラユニット８等を備えている。
【００３９】
プラテン３の上面には、記録用紙１００が載置される。４つのインクジェットヘッド４は、プラテン３の上方において、搬送方向に並べて配置されている。各インクジェットヘッド４には、図示しないインクタンクからインクが供給される。尚、４つのインクジェットヘッド４には４色、すなわちブラック、イエロー、シアン、マゼンタのインクの何れかが供給される。つまり、４つのインクジェットヘッド４は、互いに異なる色のインクを吐出するものである。
【００４０】
なお、以下の説明では、ブラック、マゼンタ、イエロー、シアンのそれぞれに対応する構成については、符号の後に、ブラックを示す“ｋ”、マゼンタを示す“ｍ”、イエローを示す“ｙ”、シアンを示す“ｃ”をそれぞれ付ける。例えば、図１におけるインクジェットヘッド４ｋとは、ブラックインクを吐出するインクジェットヘッド４のことを示す。
【００４１】
制御部７は、ＣＰＵ（Central Processing Unit）、ＲＯＭ（Read Only Memory）、ＲＡＭ（Random Access Memory）、及び、各種制御回路を含むＡＳＩＣ（Application Specific Integrated Circuit）を備える。さらに、制御部７は、各種制御パラメータを書き換え可能に記憶する、不揮発性のメモリを備えている。また、制御部７は、ＰＣ等の外部装置９とデータ通信可能に接続されており、外部装置９から送られた画像データに基づいて、４つのインクジェットヘッド４や搬送モータ等の、プリンタ１の各部を制御する。
【００４２】
より具体的には、制御部７は、搬送ローラ５，６を駆動する搬送モータを制御して、２つの搬送ローラ５，６に記録用紙１００を搬送方向に搬送させる。また、この用紙搬送とともに、制御部７は、４つのインクジェットヘッド４を制御して記録用紙１００に向けてインクを吐出させる。これにより、記録用紙１００に画像が印刷される。
【００４３】
＜インクジェットヘッドとローラユニット＞
図２、図３、図６に示すように、プラテン３の上方には、４つのインクジェットヘッド４と、４つのインクジェットヘッド４にそれぞれ対応して４つの開口部３６を有する１つのローラユニット８が配置されている。
インクジェットヘッド４は、ローラユニット８の上に配置されている。また、インクジェットヘッド４は、ローラユニット８に対して分離可能に構成され、パージなどのメンテナンス時には、ローラユニット８から離れた位置へ移動する。
【００４４】
（インクジェットヘッド）
まず、インクジェットヘッド４について説明する。図２に示すように、１つのインクジェットヘッド４は、左右方向に間隔を置いて配置された２つのヘッドチップ１１と、同じく左右方向に間隔を置いて配置された２つのヘッドチップ１２を備えている。ヘッドチップ１１，１２は、チップ保持板１０に取り付けられている。
【００４５】
なお、図３、図６に示すように、チップ保持板１０の、ヘッドチップ１１及びヘッドチップ１２が配置されていない部分には、前後方向と直交する側面部１３、左右方向と直交する側面部１４及び上下方向と直交する側面部１５を設けることにより、切欠部１６が形成されている。各切欠部１６には、後述するローラユニット８のローラ３３等が収容される。
【００４６】
ヘッドチップ１１及びヘッドチップ１２は、搬送方向において前側と後側に交互にずれて配置されている。即ち、ヘッドチップ１１及びヘッドチップ１２が、左右方向に沿って前後に千鳥状に分かれて配置されている。各ヘッドチップ１１は、左右方向に並ぶ複数のノズル２１を有し、各ヘッドチップ１２は、左右方向に並ぶ複数のノズル２２を有する。なお、本実施形態では、各色に対応するインクジェットヘッド４間において、各ヘッドチップ１１，１２の左右方向の位置が一致している。
【００４７】
ここで、ヘッドチップ１１においてノズル２１が配置された領域の一部と、ヘッドチップ１１に隣接するヘッドチップ１２においてノズル２２が配置された領域の一部は、前後方向に並んでいる。
【００４８】
図３において、最も左方のヘッドチップ１１のうち、一点鎖線に囲まれた右端の領域であり、ヘッドチップ１２のノズル２２と前後方向に並ぶ領域を領域Ａとする。また、当該ヘッドチップ１１の右方に隣接するヘッドチップ１２のうち、一点鎖線に囲まれた左端の領域であり、ヘッドチップ１１のノズル２１と前後方向に並ぶ領域を領域Ｂとする。領域Ａ及び領域Ｂの左右方向の位置は一致しており、また、領域Ａ及び領域Ｂにおいては、ノズル２１とノズル２２の左右方向の位置が一致している。
【００４９】
同様に、互いに隣接する他のヘッドチップ１１とヘッドチップ１２についても、一部の領域が前後方向に並んでいる。それぞれ隣接するヘッドチップ１１及びヘッドチップ１２が、一部の領域が前後方向に並んだ状態で左右方向に配置されることにより、ノズル２１及びノズル２２が左右方向に等間隔で配列された、１つのラインヘッドが構成されている。
【００５０】
上記構成を有するインクジェットヘッド４に対して、制御部７は次のような吐出制御を行う。なお、便宜上、最も左方のヘッドチップ１１の領域Ａ及び当該ヘッドチップ１１の右方に隣接するヘッドチップ１２の領域Ｂについて説明するが、他のヘッドチップ１１，１２についても同様である。
【００５１】
ヘッドチップ１１の領域Ａ及びヘッドチップ１２の領域Ｂにおいては、ヘッドチップ１１とヘッドチップ１２の両方から記録用紙１００上にインクを吐出させるノズル２１，２２が予め設定されている。領域Ａ及び領域Ｂにおける吐出制御について、図４及び図５を参照してより詳細に説明する。
【００５２】
図４に示すように、ヘッドチップ１１の領域Ａは、インクを吐出する領域Ａ１及び領域ＡＸと、インクを吐出しない領域Ａ２とに、それぞれ一点鎖線により分けられている。ハッチングされている領域が領域ＡＸである。また、ヘッドチップ１２の領域Ｂは、インクを吐出しないＢ１と、インクを吐出する領域ＢＸ及び領域Ｂ２に、それぞれ一点鎖線により分けられている。ハッチングされている領域が領域ＢＸである。
【００５３】
領域ＡＸと領域ＢＸにおいて、ノズル２１と２２の両方からインクを吐出させる。なお、領域Ａ１と領域Ｂ１は、左右方向の位置が一致している。領域ＡＸとＢＸ、領域Ａ２とＢ２についても同様である。
【００５４】
以下、ヘッドチップ１１内の領域ＡＸを境界領域ＡＸ、ヘッドチップ１２内の領域ＢＸを境界領域ＢＸと称する。また、領域ＡＸに配置されたノズル２１を境界ノズル２１Ｘ、領域ＢＸに配置されたノズル２２を境界ノズル２２Ｘと称する。なお、境界ノズル２１Ｘ，２２Ｘの位置に関する情報は、制御部内のＲＯＭ、あるいは、不揮発性メモリに記憶されている。
【００５５】
尚、後での説明の便宜上、図４においては、境界ノズル２１Ｘ，２２Ｘのうち、最も左側に位置する境界ノズル２１Ｘ及び境界ノズル２２Ｘをそれぞれ境界ノズル２１Ｌ、境界ノズル２２Ｌと称し、最も右側に位置する境界ノズル２１Ｘ，２２Ｘをそれぞれ境界ノズル２１Ｒ、境界ノズル２２Ｒと称している。
【００５６】
図５は、ヘッドチップ１１のノズル２１の使用比率Ｒ１と、ヘッドチップ１２のノズル２２の使用比率Ｒ２の、左右方向の位置による変化を示したものである。ここでの使用比率とは、被記録媒体の所定領域に形成するドットのうち、一方のヘッドチップのノズルによって、どれだけの割合でドットを形成するかを示す比率である。
【００５７】
例えば、ＲＧＢデータ等の画像データを画像処理して得られる各色インクの濃度データに基づき、ある領域において１０ドットを形成する場合に、この領域におけるヘッドチップ１１のノズル使用比率が７０％であったとする。この場合、１０ドットのうちの７ドットをヘッドチップ１１のノズル２１で形成し、残りの３ドットをヘッドチップ１２のノズル２２で形成することになる。
【００５８】
ここでは、境界ノズル２１Ｘの位置において、０＜Ｒ１＜１００％となり、境界ノズル２２Ｘの位置において、０＜Ｒ２＜１００％となる。また、境界ノズル２１Ｒよりも右方のノズル２１は印刷に使用されず、境界ノズル２２Ｌよりも左方のノズル２２は印刷に使用されない。
【００５９】
但し、上記のような制御を行っても、境界ノズル２１Ｘ及び境界ノズル２２Ｘによって形成された画像部分は、１つのヘッドチップのノズルのみによって形成された画像部分と比べると、濃度ムラが多少は残る。そのため、４つのインクジェットヘッド４の間で、境界ノズル２１Ｘ，２２Ｘの左右方向の位置が一致していると、４つのインクジェットヘッド４それぞれの境界ノズル２１Ｘ，２２Ｘから吐出されるインクによって生じる濃度ムラが重なり合って、濃度ムラが目立ってしまうおそれがある。
【００６０】
そこで、領域Ａ，Ｂにおける境界領域ＡＸ，ＢＸは、図７に示すように、４つのインクジェットヘッド４の間で互いに異なる位置に設定されている。以下、最も左方にある境界領域ＡＸ，ＢＸの左右方向の位置について具体的に説明する。なお、図３に示すように、領域Ａ，Ｂ共通の左右方向の中心位置を表す二点鎖線を、中心線Ｃと称する。
【００６１】
ブラックのヘッドチップ１１の境界領域ＡＸｋ及びヘッドチップ１２の境界領域ＢＸｋは、中心線Ｃの左方に位置する。イエローのヘッドチップ１１の境界領域ＡＸｙ及びヘッドチップ１２の境界領域ＢＸｙも、同様に中心線Ｃの左方に位置する。ここで、境界領域ＡＸｋ，ＢＸｋは、境界領域ＡＸｙ，ＢＸｙよりも左方に位置する。すなわち、ヘッドチップ１２ｋの境界ノズル２２Ｘｋのうち、左端の境界ノズル２２Ｌｋが、ヘッドチップ１２ｙの境界ノズル２２Ｘｙのうち、左端の境界ノズル２２Ｌｙよりも左方に位置する。
【００６２】
これに対して、マゼンタの境界領域ＡＸｍ，ＢＸｍ及びシアンの境界領域ＡＸｃ，ＢＸｃは、中心線Ｃの右方に位置する。ここで、境界領域ＡＸｍ，ＢＸｍは、境界領域ＡＸｃ，ＢＸｃよりも右方に位置する。
【００６３】
また、ブラックの境界領域ＡＸｋの中心線Ｃからの距離と、マゼンタの境界領域ＡＸｍの中心線Ｃからの距離は等しい。境界領域ＢＸｋと境界領域ＢＸｍについても同様である。さらに、イエローの境界領域ＡＸｙの中心線Ｃからの距離と、シアンの境界領域ＡＸｃの中心線Ｃからの距離も等しく、境界領域ＢＸｙと境界領域ＢＸｃについても同様である。
【００６４】
つまり、境界領域ＡＸｋ，ＢＸｋと境界領域ＡＸｍ，ＢＸｍは、中心線Ｃを挟んで左右対称の位置にあり、境界領域ＡＸｙ，ＢＸｙと境界領域ＡＸｃ，ＢＸｃも、中心線Ｃを挟んで左右対称の位置にある。
【００６５】
なお、ここでは最も左側の境界領域ＡＸ，ＢＸについてのみ説明したが、他の場所の境界領域についても同様である。
【００６６】
（ローラユニット）
次に、ローラユニット８について説明する。図３、図６に示すように、ローラユニット８は、筐体２本体に固定されるフレーム３１と、フレーム３１に取り付けられたローラ３３，３４，３５を有する。
【００６７】
フレーム３１は、上から見て外周が略矩形状になっており、左右方向に長く、筐体２に固定されている。また、フレーム３１は、矩形状の、４つの開口部３６を有し、各開口部３６にはインクジェットヘッド４が上方から挿入される。
【００６８】
ローラ３３〜３５は、それぞれ歯車形状をしたローラであり支持部３２によって回転自在に支持されている。なお、ローラ３３は、各インクジェットヘッド４に対応して３つずつ備えられている。
【００６９】
また、ローラ３３〜３５は、インクジェットヘッド４が開口部３６に挿入されている状態において、チップ保持板１０の下部に設けられた前述の側面部１３，１４，１５により形成される切欠部１６に収容されており、インクジェットヘッド４と干渉しないようになっている。
【００７０】
図５に示すように、ローラ３３〜３５は、プラテン３に乗って搬送されてくる記録用紙１００を上方から押さえる。それによって、ノズルチップ１１等のインクの吐出面１７と記録用紙１００とのギャップＧの変動を抑え、インクの着弾ズレを抑制している。
【００７１】
図２、図７に示すように、４種類の色に対応する４つのインクジェットヘッド４ｋ、４ｍ、４ｙ及び４ｃが並べられている。ここでは、後方から前方にかけてブラック、マゼンタ、イエロー、シアンの順、すなわちＫＭＹＣの順に並んでいる。
【００７２】
（ローラのレイアウト）
次に、ローラ３３〜３５のレイアウトについて説明する。まず、各ヘッドチップ１１，１２の領域ＡＸ，ＢＸの近傍に配置されたローラ３３について説明する。尚、このようなローラ３３は、各色のインクジェットヘッド４において３つ存在するが、各色の３つのローラ３３について、隣接する２つのヘッドチップ１１，１２との関係は同様であるので、左から１番目のローラ３３で代表して説明する。
【００７３】
まず、ブラックのローラ３３ｋは、ヘッドチップ１２ｋの左方であり、且つ、ヘッドチップ１１ｋと前後方向に並ぶ位置に配置されている。すなわち、ローラ３３ｋは、境界領域ＡＸ，ＢＸよりも左方に配置されている。
【００７４】
イエローのローラ３３ｙは、ローラ３３ｋと同様に、ヘッドチップ１２ｙの左方であり、且つ、ヘッドチップ１１ｙと前後方向に並ぶ位置に配置されている。すなわち、領域ＡＸ，ＢＸよりも左方に配置されている。但し、ローラ３３ｙは、ローラ３３ｋよりも左方に配置されている。すなわち、ローラ３３ｋと、ローラ３３ｋに隣接するヘッドチップ１２ｋとの距離は、ローラ３３ｙと、ローラ３３ｙに隣接するヘッドチップ１２ｙとの距離よりも小さい。
【００７５】
マゼンタのローラ３３ｍは、ヘッドチップ１１ｍの右方であり、且つ、ヘッドチップ１２ｍと前後方向に並ぶ位置に配置されている。すなわち、境界領域ＡＸ，ＢＸよりも右方に配置されている。なお、ローラ３３ｍは、領域Ａ，Ｂの中心線Ｃを挟んでローラ３３ｋと左右方向に対称の位置にある。
【００７６】
シアンのローラ３３ｃは、ローラ３３ｍと同様に配置されている。但し、ローラ３３ｃは、ローラ３３ｍよりも右方に配置されている。また、ローラ３３ｃは、領域Ａ，Ｂの中心線Ｃを挟んでローラ３３ｙと左右方向に対称の位置にある。
【００７７】
次に、ローラ３４について説明する。図３に示すように、ローラ３４は、チップ保持板１０の切欠部１６のうち、ローラ３３が配置されていない切欠部１６に配置され、記録用紙１００をより確実に押さえるために備えられている。
【００７８】
図２に示すように、ブラックのローラ３４ｋは、最も右側のヘッドチップ１１ｋの右方であり、且つ、ヘッドチップ１２ｋと前後方向に並ぶ位置に配置されている。すなわち、ローラ３４ｋは、最も右側のローラ３３ｋよりも右方に位置し、記録用紙１００の右端近辺を押さえる。
【００７９】
イエローのローラ３４ｙも同様に、最も右側のヘッドチップ１１ｙの右方であり、且つ、ヘッドチップ１２ｙと前後方向に並ぶ位置に配置されている。
【００８０】
マゼンタのローラ３４ｍは、最も左側のヘッドチップ１２ｍの左方であり、且つ、
ヘッドチップ１１ｍと前後方向に並ぶ位置に配置されている。ローラ３４ｍは、記録用紙１００の左端近辺を押さえる。シアンのローラ３４ｃも、同様に配置される。
【００８１】
なお、ローラ３４ｋと、最も右側のヘッドチップ１１ｋとの左右方向の距離は、ローラ３３ｋと、ローラ３３ｋに近接するヘッドチップ１２ｋとの左右方向の距離よりも大きい。これにより、記録用紙１００のより右端近くが押さえられることになる。同様に、ローラ３４ｙと、最も右側のヘッドチップ１１ｙとの左右方向の距離は、ローラ３３ｙと、ローラ３３ｙに近接するヘッドチップ１２ｋとの左右方向の距離よりも大きい。
【００８２】
また、ローラ３４ｍと、最も左方のヘッドチップ１２ｍとの左右方向の距離は、ローラ３３ｍと、ローラ３３ｍに近接するヘッドチップ１１ｍとの左右方向の距離よりも大きい。これにより、記録用紙１００のより左端近くが押さえられる。なお、ローラ３４ｃも、ローラ３４ｍと同様の配置がなされている。
【００８３】
ここで、インクジェットヘッド４はＫＭＹＣの順に並んでいるため、ローラ３４は右端と左端に交互に配置されていることになる。これにより、記録用紙１００の左端と右端とがバランス良く押さえられる。
【００８４】
次に、ローラ３５について説明する。ブラックのローラ３５ｋは、最も左側のローラ３３ｋの左方であり、且つ、最も左側のヘッドチップ１１ｋと前後方向に並ぶ位置に配置されている。すなわち、ローラ３５ｋは最も左側のローラ３３ｋよりも外側に配置され、記録用紙１００の左端近くを押さえる。
【００８５】
イエローのローラ３５ｙも同様に、最も左側のローラ３３ｙの左方であり、且つ、最も左側のヘッドチップ１１ｙと前後方向に並ぶ位置に配置されている。
【００８６】
マゼンタのローラ３５ｍは、最も右側のローラ３３ｍの右方であり、且つ、最も右側のヘッドチップ１２ｍと前後方向に並ぶ位置に配置されている。すなわち、最も右側のローラ３３ｍよりも外側に配置され、記録用紙１００の右端近くを押さえる。シアンのローラ３５ｃも、同様に配置される。
【００８７】
なお、ローラ３５ｋとローラ３５ｙは、左右方向の位置が異なる。ローラ３５ｍとローラ３５ｃについても、同様である。これにより、ローラ痕は目立ちにくくなっている。
【００８８】
（ローラと境界ノズルとの位置関係）
次に、ローラ３３と、上述した２つのヘッドチップ１１，１２の境界領域ＡＸ，ＢＸとの位置関係について説明する。本実施形態においては、ＫＹＣＭの４色のインクのうち、特に、濃度ムラが目立ちやすいブラックのインクに対応するインクジェットヘッド４において、ローラ３３を境界領域ＡＸ，ＢＸに近づけた構成となっている。
【００８９】
具体的には、ブラックとマゼンタに対応するローラ３３と境界ノズル２１Ｘ，２２Ｘとの距離を優先的に小さくする。これらのインクにおいては、境界ノズル２１Ｘ，２２Ｘから吐出されるインクの濃度ムラが目立ちやすく、より境界ノズル２１Ｘ，２２Ｘに近い位置にローラ３３を配置して印字ギャップの変動を抑制する必要があるためである。一方、イエローとシアンについては、濃度ムラが目立ちにくいため、ローラ３３と境界ノズル２１Ｘ，２２Ｘとの距離を比較的大きくしても良い。
【００９０】
以上のことを踏まえ、ローラ３３と境界ノズル２１Ｘ，２２Ｘとの位置関係について説明する。まず、ブラックのローラ３３ｋ及び境界ノズル２１Ｘｋ，２２Ｘｋは、領域Ａ，Ｂの中心線Ｃの左方にある。なお、ローラ３３ｋと、境界ノズル２２Ｘｋのうち最も左方にある境界ノズル２２Ｌｋとの左右方向の距離を、距離Ｄｋとする。
【００９１】
イエローのローラ３３ｙ及び境界ノズル２１Ｘｙ，２２Ｘｙも、中心線Ｃの左方にある。ローラ３３ｙと、境界ノズル２２Ｘｙのうち最も左方にある境界ノズル２２Ｌｙとの左右方向の距離を距離Ｄｙとする。ここで、前述のように、ローラ３３ｋはローラ３３ｙよりも右方にあり、境界ノズル２２Ｌｋは境界ノズル２２Ｌｙよりも左方にあるため、距離Ｄｋは距離Ｄｙよりも小さい。
【００９２】
ここでは、ブラックの濃度ムラがイエローの濃度ムラよりも目立ちやすいため、前述のように距離Ｄｋを小さくすることを優先している。イエローの濃度ムラは目立ちにくく、距離Ｄｙを多少大きくしても画品質への影響は小さい。
【００９３】
マゼンタのローラ３３ｍ及び境界ノズル２１Ｘｍ，２２Ｘｍは、中心線Ｃの右方にある。ローラ３３ｍと、境界ノズル２１Ｘｍのうち最も右方にある境界ノズル２１Ｒｍとの左右方向の距離を距離Ｄｍとする。前述のように、ローラ３３ｋとローラ３３ｍが中心線Ｃを挟んで左右方向に対称の位置にあり、境界領域ＡＸｋ，ＢＸｋと境界領域ＡＸｍ，ＢＸｍについても同様であることから、距離Ｄｋと距離Ｄｍは等しい。すなわち、距離Ｄｍも距離Ｄｙよりも小さい。
【００９４】
シアンのローラ３３ｃ及び境界ノズル２１Ｘｃ，２２Ｘｃも、中心線Ｃの右方にある。ローラ３３ｃと、境界ノズル２１Ｘｃのうち最も右方にある境界ノズル２１Ｒｃとの左右方向の距離を距離Ｄｃとする。前述のように、ローラ３３ｍはローラ３３ｃよりも右方にあり、境界ノズル２１Ｘｍは境界ノズル２１Ｘｃよりも左方にあるため、距離Ｄｍは距離Ｄｃよりも小さい。なお、ブラックとイエローの場合と同様に、マゼンタの濃度ムラがシアンの濃度ムラよりも目立ちやすいため、距離Ｄｍを優先的に小さくしている。
【００９５】
以上のような構成により、４色のインクジェットヘッド４の間でローラ３３の左右方向の位置を異ならせることで、ローラ痕がずれて目立ちにくくなる。また、境界ノズル２１Ｘ，２２Ｘの左右方向の位置を互いに異ならせることで、濃度ムラの発生位置もずれて画品質の低下が抑制される。
【００９６】
なお、ローラ３３はできる限り境界ノズル２１Ｘ，２２Ｘに近い方がギャップＧの変動を抑えられるが、全てのインクジェットヘッド４についてローラ３３と境界ノズル２１Ｘ，２２Ｘとの距離を近づけるのは難しい。そこで、本実施形態では、最も濃度ムラが目立ちやすいブラックについて、当該距離を近づけている。
【００９７】
また、ブラックのローラ３３ｋに対し、領域Ａ，Ｂの中心線Ｃを挟んで左右方向に対称の位置にもローラ３３を配置することができる。本実施形態では、ブラックの次に濃度ムラが目立ちやすいマゼンタについて、ローラ３３ｍを境界ノズル２１Ｘｍ，２２Ｘｍから近い位置に配置している。
【００９８】
また、できるだけ境界ノズル２１Ｘ，２２Ｘに近い位置にローラ３３を配置するという前提のもと、ブラックとマゼンタにおいて距離Ｄｋと距離Ｄｍを等しくすることができる。
【００９９】
なお、イエローについては、濃度ムラが目立ちにくいため、ローラ３３ｙが境界ノズル２１Ｘｙ，２２Ｘｙから多少離れてギャップＧが変動しても、ブラックやマゼンタと比べると、画品質への影響は小さい。シアンについても同様である。
【０１００】
また、ローラ３３が収容されていない切欠部１６にローラ３４が配置されているため、印字ギャップの変動による画品質の低下の抑制をさらに図ることができる。
【０１０１】
また、ローラ３４は、インクジェットヘッド４の並び順に千鳥状に配置されるため、記録用紙１００の左右方向の端近辺においてギャップの変動がより効果的に抑制される。
【０１０２】
また、ローラ３３のさらに外側にローラ３５が配置されるため、記録用紙１００の左右方向の端近辺においてギャップの変動がより効果的に抑制される。
【０１０３】
以上説明した実施形態において、前後方向が、本発明の「第１方向」に相当する。左右方向が、本発明の「第２方向」に相当する。記録用紙１００が、本発明の「被記録媒体」に相当する。ヘッドチップ１１ｋが、本発明の「第１ヘッドチップ」に相当する。ヘッドチップ１２ｋが、本発明の「第２ヘッドチップ」に相当する。ヘッドチップ１１ｙが、本発明の「第３ヘッドチップ」に相当する。ヘッドチップ１２ｙが、本発明の「第４ヘッドチップ」に相当する。ヘッドチップ１１ｍが、本発明の「第５ヘッドチップ」に相当する。ヘッドチップ１２ｍが、本発明の「第６ヘッドチップ」に相当する。
【０１０４】
また、ローラ３３ｋが、本発明の「第１ローラ」に相当する。ローラ３３ｙが、本発明の「第２ローラ」に相当する。ローラ３３ｍが、本発明の「第３ローラ」に相当する。ローラ３４ｋが、本発明の「第１補助ローラ」に相当する。ローラ３４ｙが、本発明の「第２補助ローラ」に相当する。ローラ３４ｍが、本発明の「第３補助ローラ」に相当する。ローラ３５ｋが、本発明の「第４補助ローラ」に相当する。ローラ３５ｙが、本発明の「第５補助ローラ」に相当する。境界ノズル２２Ｌｋが、本発明の「ノズルＡ」に相当する。境界ノズル２２Ｌｙが、本発明の「ノズルＢ」に相当する。
【０１０５】
なお、本実施形態において、インクジェットヘッド４間で各ヘッドチップ１１，１２の左右方向の位置が同じになっているが、これに限定されるものではない。
【０１０６】
また、本実施形態において、各インクジェットヘッド４にヘッドチップ１１，１２が２個ずつ配置されているが、個数は２個に限られず、いくつであっても良い。
【０１０７】
また、ローラ３３，３４，３５の代わりに外周面がなめらかな円形形状のゴムローラー等を用いても良く、記録用紙１００を押さえるためのローラとしての役割を果たせれば良い。また、記録用紙１００を押さえるための構造であれば、ローラ以外でもよく、記録用紙と触れる側の端部が面取りされたなめらかな表面を持ち、ノズル面よりもプラテン側に突出した突起物のような構造体でもよい。
【０１０８】
次に、前記実施形態に変更を加えた変更形態について説明する。但し、前記実施形態と同様の構成を有するものについては、同じ符号を付して適宜その説明を省略する。
【０１０９】
（変更形態１）
図８に示すように、インクジェットヘッド４が後方から前方にかけてＫＹＭＣの順に並んでいる。このような構成であっても、ローラ３３の左右方向の位置は互いに異なるため、ローラ痕は目立ちにくい。また、境界領域ＡＸ，ＢＸの左右方向の位置もインクジェットヘッド４間で互いに異なるため、濃度ムラの影響も目立ちにくい。また、各色について、ローラ３３と境界ノズル２１Ｘ，２２Ｘとの左右方向の位置関係は前記実施形態と同じであるため、濃度ムラの目立ちやすいインクについてローラ３３と境界ノズル２１Ｘ，２２Ｘとの左右方向の距離を優先的に小さくすることができる。
【０１１０】
（変更形態２）
ローラ３３と、ヘッドチップ１１又はヘッドチップ１２の端との左右方向の距離を、一方側と他方側とで同じにすることが最も望ましいが、そういう構成を取ることができない場合がある。
【０１１１】
例えば、図９に示すように、各チップ保持板１０ａにおいて、１つの切欠部１６と３つの切欠部１６ａが形成されている。最も左方に位置する切欠部１６のみが、略直方体状の空間である。切欠部１６ａは略直方体状ではなく、傾斜した面を有する。すなわち、切欠部１６ａを形成するために設けられる側面部１４ａが、側面部１４のように左右方向と直交せず、左右方向に傾斜している。例えば、特開２０１５−２３１７２１号公報に記載されているように、メンテナンス性の向上を目的としてこのような構成を取る場合がある。
【０１１２】
そのような場合、左端のヘッドチップ１１の右端部から傾斜した側面部１４ａまでの距離は、傾斜していない場合と比べて長くなる。したがって、マゼンタにおけるローラ３３ｍと境界ノズル２１Ｒｍとの距離を、ブラックにおけるローラ３３ｋと境界ノズル２２Ｌｋとの距離と等しくすることが難しくなる。
【０１１３】
また、側面部１４ａが傾斜していない場合でも、例えば側面部１４ａに温度センサーを取り付ける等、何らかの理由でローラ３３ｍをヘッドチップ１１ｍ側に近づけることが難しくなる場合がありうる。
【０１１４】
したがって、図１０に示すように、マゼンタのローラ３３ｍが前記実施形態と比べて右方にずらして配置されている。すなわち、ヘッドチップ２１ｍからローラ３３ｍまでの左右方向の距離が、ヘッドチップ２２ｋからローラ３３ｋまでの距離よりも大きくなっている。なお、これに伴い、シアンのローラ３３ｃも右方にずれ、ローラ３３ｍの左右方向の位置と異なる位置に配置されている。なお、ヘッドチップ２１ｍからローラ３３ｍまでの左右方向の距離は、イエローのヘッドチップ２２ｙからローラ３３ｙまでの距離と比べれば小さい。
【０１１５】
これによって、ローラ３３ｍと境界ノズル２１Ｒｍとの距離Ｄｍａが、ローラ３３ｋと境界ノズル２２Ｌｋとの距離Ｄｋよりも大きくなっている。すなわち、距離Ｄｍａが大きくなることを許容し、ブラックの濃度ムラを優先的に抑制している。同様に、ローラ３３ｃと境界ノズル２１Ｒｃとの距離Ｄｃａについても、大きくなることを許容する。但し、マゼンタの濃度ムラは、イエローやシアンに比べると目立ちやすく、抑制する必要があるので、距離Ｄｍａは、ローラ３３ｙと境界ノズル２２Ｌｙとの距離Ｄｙ及び距離Ｄｃａと比べると小さくなっている。
【０１１６】
（変更形態３）
ヘッドチップ１１，１２の領域ＡＸ，ＢＸにおいて、ヘッドチップ１１及びヘッドチップ１２の両方からそれぞれインクを吐出させるのではなく、ある左右方向の位置を境にして、ヘッドチップ１１とヘッドチップ１２の使用ノズルを使い分ける実施形態もある。その場合、境界ノズル２１Ｘ，２２Ｘは存在しないことになる。その場合は、単純に、印刷に使用されるノズル２１のうち右端のノズル２１が境界ノズル２１Ｒとなり、印刷に使用されるノズル２２のうち左端のノズル２２が境界ノズル２２Ｌとなる。
【０１１７】
（変更形態４）
前述までの実施形態において、マゼンタ、イエロー、シアンに対応する構成のインクジェットヘッド４から吐出させるインクの色は、それぞれ入れ替えても良い。また、インクの色がブラック、マゼンタ、イエロー、シアンとなっているが、これに限定しなくても良い。さらに、インクジェットヘッド４の数は、４つに限られない。例えば、インクジェットヘッド４の数が３つであり、それぞれマゼンタ、イエロー、シアンのインクを吐出させても良い。
【符号の説明】
【０１１８】
４                インクジェットヘッド
８                ローラユニット
１１，１２        ヘッドチップ
２１，２２        ノズル
３３，３４，３５  ローラ
【図１】
2017177625.tif 000003
【図２】
2017177625.tif 000004
【図３】
2017177625.tif 000005
【図４】
2017177625.tif 000006
【図５】
2017177625.tif 000007
【図６】
2017177625.tif 000008
【図７】
2017177625.tif 000009
【図８】
2017177625.tif 000010
【図９】
2017177625.tif 000011
【図１０】
2017177625.tif 000012